(57)【要約】【課題】裏面テリー織布帛表面生地（表面が平織りで裏面がパイル構造の生地）を提供する。【解決手段】生地本体（１）を経緯方向の綿糸（１０１，１０２・・・、２１，２２・・・）で平織りして構成し、経方向で等距離にテリー織（１０５，１１０，・・・）を設置し、これらテリー織（１０５，１１０，・・・）の間を平織りされた前記綿糸（１０１，１０２・・・、２１，２２・・・）で埋めることで生地の正面（２）は布帛状の表面とし、生地の裏面（３）はテリー織の織地表面とした。【選択図】図１
2020051018.tif 000002
【特許請求の範囲】
【請求項１】
生地本体（１）を経緯方向の綿糸（１０１，１０２・・・、２１，２２・・・）で平織りして構成し、経方向で等距離にテリー織（１０５，１１０，・・・）を設置し、これらテリー織（１０５，１１０，・・・）の間を平織りされた前記綿糸（１０１，１０２・・・、２１，２２・・・）で埋めることで生地の一方の面（２）は布帛状の表面とし、生地の他方の面（３）はテリー織の織地表面とし、
同じテリー織の糸上の二つの隣の経織地箇所（Ｐ）の間に３本の横方向の糸を含み、
前記他方の面（３）のテリー織の高さが０．２ｍｍを超え０．８ｍｍ未満であることを特徴とする裏面テリー織布帛表面生地。
【請求項２】
請求項１において、
前記綿糸は二本鎖の４０ｓ〜１２０ｓの糸としたことを特徴とする裏面テリー織布帛表面生地。
【請求項３】
請求項１において、
前記テリー織（１０５，１１０，・・・）の糸は、二本鎖の４０ｓ〜１２０ｓの糸としたことを特徴とする裏面テリー織布帛表面生地。
【発明の詳細な説明】
【技術分野】
【０００１】
本発明は、一種の裏面テリー織布帛表面生地に係り、紡績表面生地の技術分野に属する。
【背景技術】
【０００２】
既存の技術において、テリー織の織物は、一般にトリコット編み構造を採用し、テリー織の織物の正面・裏面が皆テリー織構造であり、人体と接触する時に良い快適性があるので、多くの客先によって愛顧されている。
しかし、現有の両面テリー織の織物は一般にタオルの生産に使用されており、服装表面生地とする時に、テリー織の表面生地を、服装（特にシャツ）の表面生地とすることは望ましくない。現有のソリューションでは、タッチング表面生地とテリー織表面生地を一体に粘着して正面タッチング構造及び裏面テリー織構造の表面生地を形成し、シャツとパジャマ等の服装を生産する。
しかし、この形式では、表面生地粘着時に、粘着剤が人体に有害である可能性があり、もう一方では、粘着後の表面生地厚さが大きいので、春夏秋の服装製作には適さない。
【０００３】
なお、従来、例えば特許文献１に見られるような片面パイル編地が知られている。
しかしこのものは、パイル面において淡く朧調をなす深みのある柄模様を現出させることを目的とするもので、パジャマやシャツ等の衣類に適した生地を得ることを目的とはしていない。
この特許文献１のものは、タオルケットや肌ふとん、シーツ等の寝具類に適したものではあっても、衣類に適したものではない。
【先行技術文献】
【特許文献】
【０００４】
【特許文献１】実用新案登録第3115295号公報
【発明の概要】
【発明が解決しようとする課題】
【０００５】
本発明の目的は、現有技術の不足点を克服し、裏面テリー織布帛表面生地（表面が平織りで裏面がパイル構造の生地）を提供することである。 即ち、一体式構造を採用することによって、正面タッチング構造（平織り構造）及び裏面テリー織構造を表し、パジャマとシャツ等の服装の表面生地ニーズを満足することである。
【課題を解決するための手段】
【０００６】
上記課題を解決するために、本発明の裏面テリー織布帛表面生地は、
生地本体（１）を経緯方向の綿糸（１０１，１０２・・・、２１，２２・・・）で平織りして構成し、経方向で等距離にテリー織（１０５，１１０，・・・）を設置し、これらテリー織（１０５，１１０，・・・）の間を平織りされた前記綿糸（１０１，１０２・・・、２１，２２・・・）で埋めることで生地の一方の面（２）は布帛状の表面とし、生地の他方の面（３）はテリー織の織地表面とし、
同じテリー織の糸上の二つの隣の経織地箇所（Ｐ）の間に３本の横方向の糸を含み、
前記他方の面（３）のテリー織の高さが０．２ｍｍを超え０．８ｍｍ未満であることを特徴とする。
【０００７】
なお、前記「一方の面」とは、布帛状の表面であり、「他方の面」とは、テリー織の識地表面である。本願明細書においては、「一方の面」を「正面」ということもあり、「他方の面」を「裏面」ということもある。
【０００８】
【０００９】
この裏面テリー織布帛表面生地においては、
前記綿糸は二本鎖の４０ｓ〜１２０ｓの糸とすることができる。
【００１０】
この裏面テリー織布帛表面生地においては、
前記テリー織（１０５，１１０，・・・）の糸は、二本鎖の４０ｓ〜１２０ｓの糸とすることができる。
【発明の効果】
【００１１】
本発明によれば、次のような効果が得られる。
（１）本発明の前記裏面テリー織タッチング表面生地は、一体式構造を採用しており、正面タッチング構造及び裏面テリー織構造となっているので、パジャマとシャツ等の服装の表面生地ニーズを満足することができる。
【００１２】
（２）平織り織地を採用することによって、表面生地本体の経方向で等距離に設置されているテリー織織地を埋めていて、テリー織糸を、裏面だけで表すことによって、正面タッチング構造及び裏面テリー織構造の表面生地を形成しているので、粘着方式による多くの欠点を避けることができ、春夏季節における各スタイルの男、女パジャマ（シャツ）の製作ニーズ‘を満足することができる。
【００１３】
以上のように、この発明の裏面テリー織布帛表面生地によれば、
生地本体（１）を経緯方向の綿糸（１０１，１０２・・・、２１，２２・・・）で平織りして構成し、経方向で等距離にテリー織（１０５，１１０，・・・）を設置し、これらテリー織（１０５，１１０，・・・）の間を平織りされた前記綿糸（１０１，１０２・・・、２１，２２・・・）で埋めることで生地の正面（２）は布帛状の表面とし、生地の裏面（３）はテリー織の織地表面としたので、一体式構造により、粘着方式による多くの欠点を避けることができ、正面タッチング構造（平織り構造）及び裏面テリー織構造によって、パジャマやシャツ、ワンピース等の服飾用生地として適した生地を提供することが出来る。
【図面の簡単な説明】
【００１４】
【図１】図１は、本発明に係る裏面テリー織布帛表面生地の実施の形態の構造模式側面図である。
【図２】図２は、同実施の形態の織地構造図である。
【図３】図３は、他の実施の形態の織地パターン図である。
【図４】図４は、図３に対応した織地構造図である。
【図５】図５は、他の織地パターンの織地構造図である。
【発明を実施するための形態】
【００１５】
以下、本発明に係る裏面テリー織布帛表面生地の実施の形態について図面を参照して説明する。
【００１６】
図１で示すように、この実施の形態の裏面テリー織タッチジグ表面生地（以下単に生地ともいう）１は、生地1の経緯方向が、綿糸を採用してタッチング（平織り）のプロセスで織られたものであり、生地１の経方向で等距離にテリー織を設置したものである。経緯方向の綿糸で１／２平織り織地を構成することによって、テリー織の織地箇所が緯方向の綿糸によって埋められようにし、生地１の正面（表面）において布帛表面２を形成し、生地１の裏面においてテリー織の織地表面（パイル構造）３を形成する。
【００１７】
つまり、この実施の形態の裏面テリー織タッチジグ表面生地１は、
生地本体１を経緯方向の綿糸１０１，１０２・・・、２１，２２・・・で平織りして構成し、経方向で等距離にテリー織１０５，１１０，・・・を設置し、これらテリー織１０５，１１０，・・・の間を平織りされた前記綿糸１０１，１０２・・・、２１，２２・・・で埋めることで生地の正面２は布帛状の表面とし、生地の裏面３はテリー織の織地表面としたものである。
【００１８】
生地１は、裏面テリー織高さ（パイル高さＨ）が０．２ｍｍ〜２ｍｍの範囲であり、春用や夏用の生地として適し、男女のパジャマ（シャツ）としても適し、ワンピース生地としても適した軽い型織物表面生地である。
パイル高さＨが０．２ｍｍ未満であると、ソフトな肌触りが得られなくおそれがある。
逆に、パイル高さＨが２ｍｍを超えると、織物が厚く、かつ重たくなるおそれがある。
これに対し、この実施の形態のパイル織物１は、パイル高さＨが０．２ｍｍ〜２ｍｍとなっているので、軽く、かつ薄くすることができ、ソフトな肌触りを得ることができる。
なお、表面１ａもパイル織構造とした場合には、織物が厚く、かつ重たくなってしまう。
【００１９】
前記綿糸は、二本鎖（双糸）の４０ｓ（４０番手）〜１２０ｓ（１２０番手）糸を採用し、前記テリー織は、二本鎖の４０ｓ〜１２０ｓ糸を採用する。
織糸が４０番手未満であると、ソフトな肌触りが得られなくおそれがある。
逆に、織り糸が１２０番手を超えると、衣料用のパイル織物としては、強度が弱くなるおそれがある。
また、織物用の糸は糸そのものに柔軟剤を施していないため非常に切断されやすいのに対し、ニット用糸は切断されにくい。しかも、ニット用糸を双糸とすることで、強度が向上する。
また、ループを構成するテリー織糸は織機で織りあげる時、単糸で織るとほとんど切断されるため、単糸でなく双糸を使うことにより切断なく織り上げることができるようになる。
ただし、将来、織機が進歩して単糸で織れる様になることもありえるので、その場合、テリー織糸は単糸とすることも出来る。
【００２０】
図２、図４，図５で示すように、生地１は、テリー織の糸（例えば縦糸１０５）上の二つの隣合う経織地箇所（例えば縦糸１０５が横糸２１等の上に現れる箇所Ｐ）の間に１〜３本の緯方向の糸を含む。
テリー織の糸上の二つの隣合う経織地箇所Ｐの間に緯方向の糸を含まない構成とすると、生地の正面（２）を布帛状の表面とすることが出来なくなり、逆に４本以上の緯方向の糸を含む構成とすると、裏面３をテリー織の織地表面としにくくなる。これに対し、この実施の形態の生地１は、テリー織の糸上の二つの隣合う経織地箇所Ｐの間に１〜３本の緯方向の糸を含む構成としているので、正面（２）を布帛状の表面とするとともに、裏面３をテリー織の織地表面としやすくなる。
【００２１】
図２に示す生地１は、テリー織の糸（例えば縦糸１０５）上の二つの隣合う経織地箇所（例えば縦糸１０５が横糸２１等の上に現れる箇所Ｐ）の間に１本の緯方向の糸（例えば横糸２２）を含んでいる。
【００２２】
図４に示す生地１は、テリー織の糸（例えば縦糸１０５）上の二つの隣合う経織地箇所（例えば縦糸１０５が横糸２１等の上に現れる箇所Ｐ）の間に２本の緯方向の糸（例えば横糸２２，２３）を含んでいる。
【００２３】
図５に示す生地１は、テリー織の糸（例えば縦糸１０５）上の二つの隣合う経織地箇所（例えば縦糸１０５が横糸２１等の上に現れる箇所Ｐ）の間に３本の緯方向の糸（例えば横糸２２，２３，２４）を含んでいる。
【００２４】
以下、具体的に説明する。
図２、図４，図５に示す生地１は、いずれも、幾つかの循環的ユニット織地から構成されていて、各ユニット織地の縦糸が、左から右まで、相次いで第一縦糸101、第二縦糸102、第三縦糸103、第四縦糸104、第五縦糸105、第六縦糸106、第七縦糸107、第八縦糸108、第九縦糸109、第十縦糸110、第十一縦糸111、第十二縦糸112、第十三縦糸113、第十四縦糸114、第十五縦糸115、第十六縦糸116、第十七縦糸117、第十八縦糸118、第十九縦糸119と第二十縦糸120であり、前記ユニット織地の横糸が上から下まで相次いで第一横糸21、第二横糸22、第三横糸23、第四横糸24、第五横糸25と第六横糸26である。
【００２５】
図２に示す生地１は、
前記第一縦糸101が、第一横糸21、第三横糸23及び第五横糸25の上方にあり、第二横糸22、第四横糸24及び第六横糸26の下側にある。
前記第二縦糸102が第二横糸22、第四横糸24及び第六横糸26の上方にあり、第一横糸21、第三横糸23と第五横糸25の下側にある。
前記第三縦糸103が、第一横糸21、第三横糸23及び第五横糸25の上方にあり、第二横糸22、第四横糸24及び第六横糸26の下側にある。
前記第四縦糸104が第二横糸22、第四横糸24及び第六横糸26の上方にあり、第一横糸21、第三横糸23と第五横糸25の下側にある。
前記第五縦糸105が、第一横糸、第三横糸及び第五横糸の上方にあり、第二横糸、第四横糸及び第六横糸の下側にある。
前記第六縦糸106が第一横糸21、第三横糸23及び第五横糸25の上方にあり、第二横糸22、第四横糸24及び第六横糸26の下側にある。
前記第七縦糸107が第二横糸22、第四横糸24及ひ、第六横糸26の上方にあり、第一横糸21、第三横糸23と第五横糸25の下側にある。
前記第八縦糸108が、第一横糸21、第三横糸23及び第五横糸25の上方にあり、第二横糸22、第四横糸24及び第六横糸26の下側にある。
前記第九縦糸109が第二横糸22、第四横糸24及び第六横糸26の上方にあり、第一横糸21、第三横糸23と第五横糸25の下側にある。
前記第十縦糸110 が第二横糸、第四横糸及び第六横糸の上方にあり、第一横糸、第三横糸と第五横糸の下側にある。
前記第十一縦糸111が、第一横糸21、第三横糸23及び第五横糸25の上方にあり、第二横糸22、第四横糸24及び第六横糸26の下側にある。
前記第十二縦糸112が第二横糸22、第四横糸24及び第六横糸26の上方にあり、第一横糸21、第三横糸23と第五横糸25の下側にある。
前記第十三縦糸113が、第一横糸21、第三横糸23及び第五横糸25の上方にあり、第二横糸22、第四横糸24及び第六横糸26の下側にある。
前記第十四縦糸114が第二横糸22、第四横糸24及び第六横糸26の上方にあり、第一横糸21、第三横糸23と第五横糸25の下側にある。
前記第十五縦糸115が第二横糸、第四横糸及び第六横糸の上方にあり、第一横糸、第三横糸と第五横糸の下側にある。
前記第十六縦糸116が、第一横糸21、第三横糸23及び第五横糸25の上方にあり、第二横糸22、第四横糸24及び第六横糸26の下側にある。
前記第十七縦糸117が第二横糸22、第四横糸24及び第六横糸26の上方にあり、第一横糸21 、第三横糸23と第五横糸25の下側にある。
前記第十八縦糸118が、第一横糸21、第三横糸23及び第五横糸25の上方にあり、第二横糸22、第四横糸24及び第六横糸26の下側にある。
前記第十九縦糸119が第二横糸22、第四横糸24及び第六横糸26の上方にあり、第一横糸21、第三横糸23と第五横糸25の下側にある。前記第二十縦糸120が、第一横糸21、第三横糸及び第五横糸の上方にあり、第二横糸、第四横糸及び第六横糸の下側にある。
【００２６】
以上のような生地１において、第一縦糸101、第二縦糸102、第三縦糸103、第四縦糸104、第六縦糸106、第七縦糸107、第八縦糸108、第九縦糸109、第十一縦糸111、第十二縦糸112、第十三縦糸113、第十四縦糸114、第十六縦糸116、第十七縦糸117、第十八縦糸118と第十九縦糸119は、綿糸を採用し、第五縦糸105、第十縦糸110、第十五縦糸115と第二十縦糸120は、テリー織糸を採用する。
【００２７】
図４に示す生地１は、テリー織の糸（例えば縦糸１０５）上の二つの隣合う経織地箇所（例えば縦糸１０５が横糸２１等の上に現れる箇所Ｐ）の間に２本の緯方向の糸（例えば横糸２２，２３）を含んでいる。
図３は、図４に示す生地の織のパターンを示した図である。縦糸と横糸との交ぜ織箇所が織地箇所であり、図3における各格子が一つの織地箇所を代表し、「&times;」及び「○」が表記されている格子が、織地において縦糸が横糸の上に浮いているのを表す。さらに、「&times;」はテリー織糸が横糸の上に浮いている箇所を示している。
【００２８】
図４に示す生地１は、幾つかの循環的ユニット織地から構成されていて、各ユニット織地の縦糸が、左から右まで、相次いで第一縦糸101、第二縦糸102、第三縦糸103、第四縦糸104、第五縦糸105、第六縦糸106、第七縦糸107、第八縦糸108、第九縦糸109、第十縦糸110、第十一縦糸111、第十二縦糸112、第十三縦糸113、第十四縦糸114、第十五縦糸115、第十六縦糸116、第十七縦糸117、第十八縦券118、第十九縦糸119と第二十縦糸120であり、前記ユニット織地の横糸が上から下まで相次いで第一横糸21、第二横糸22、第三横糸23、第四横糸24、第五横糸25と第六横糸26である。
【００２９】
図４に示す生地１は、
前記第一縦糸101が、第一横糸21、第三横糸23及び第五横糸25の上方にあり、第二横糸22、第四横糸24及び第六横糸26の下側にある。
前記第二縦糸102が第二横糸22、第四横糸24及び第六横糸26の上方にあり、第一横糸21、第三横糸23と第五横糸25の下側にある。
前記第三縦糸103が、第一横糸21、第三横糸23及び第五横糸25の上方にあり、第二横糸22、第四横糸24及び第六横糸26の下側にある。
前記第四縦糸104が第二横糸22、第四横糸24及び第六横糸26の上方にあり、第一横糸21、第三横糸23と第五横糸25の下側にある。
前記第五縦糸105が、第一横糸21と第四横糸24の上方にあり、第二横糸22、第三横糸23、第五横糸25と第六横糸26の下側にある。
前記第六縦糸106が、第一横糸21、第三横糸23及び第五横糸25の上方にあり、第二横糸22、第四横糸24及び第六横糸26の下側にある。
前記第七縦糸107が第二横糸22、第四横糸24及び第六横糸26の上方にあり、第一横糸21、第三横糸23と第五横糸25の下側にある。
前記第八縦糸108が、第一横糸21、第三横糸23及び第五横糸25の上方にあり、第二横糸22、第四横糸24及び第六横糸26の下側にある。
前記第九縦糸109が第二横糸22、第四横糸24及び第六横糸26の上方にあり、第一横糸21、第三横糸23と第五横糸25の下側にある。
前記第十縦糸110が、第三横糸23及び第六横糸26の上方にあり、第一横糸21、第二横糸22、第四横糸24、第五横糸25の下側にある。
前記第十一縦糸111が、第一横糸21、第三横糸23及び第五横糸25の上方にあり、第二横糸22、第四横糸24及び第六横糸26の下側にある。
前記第十二縦糸112が第二横糸22、第四横糸24及び第六横糸26の上方にあり、第一横糸21、第三横糸23と第五横糸25の下側にある。
前記第十三縦糸113が、第一横糸21、第三横糸23及び第五横糸25の上方にあり、第二横糸22、第四横糸24及び第六横糸26の下側にある。
前記第十四縦糸114が第二横糸22、第四横糸24及び第六横糸26の上方にあり、第一横糸21、第三横糸23と第五横糸25の下側にある。
前記第十五縦糸115が、第二横糸22と第五横糸25の上方にあり、第一横糸21、第三横糸23、第四横糸24、第六横糸26の下側にある。
前記第十六縦糸116が、第一横糸21、第三横糸23及び第五横糸25の上方にあり、第二横糸22、第四横糸24及び第六横糸26の下側にある。
前記第十七縦糸117が第二横糸22、第四横糸24及び第六横糸26の上方にあり、第一横糸21、第三横糸23と第五横糸25の下側にある。
前記第十八縦糸118が、第一横糸21、第三横糸23及び第五横糸25の上方にあり、第二横糸22、第四横糸24及び第六横糸26の下側にある。
前記第十九縦糸119が第二横糸22、第四横糸24及び第六横糸26の上方にあり、第一横糸21、第三横糸23と第五横糸25の下側にある。
前記第二十縦糸120が、第一横糸21と第四横糸24の上方にあり、第二横糸22、第三横糸23、第五横糸25と第六横糸26の下側にある。
【００３０】
以上のような生地１において、第一縦糸101、第二縦糸102、第三縦糸103、第四縦糸104、第六縦糸106、第七縦糸107、第八縦糸108、第九縦糸109、第十一縦糸111、第十二縦糸112、第十三縦糸113、第十四縦糸114、第十六縦糸116、第十七縦糸117、第十八縦糸118と第十九縦糸119は、綿糸を採用し、第五縦糸105、第十縦糸110、第十五縦糸115と第二十縦糸120は、テリー織糸を採用する。
【００３１】
図５に示す生地１は、テリー織の糸（例えば縦糸１０５）上の二つの隣合う経織地箇所（例えば縦糸１０５が横糸２１等の上に現れる箇所Ｐ）の間に３本の緯方向の糸（例えば横糸２２，２３，２４）を含んでいる。
【００３２】
図５に示す生地１は、幾つかの循環的ユニット織地から構成されていて、各ユニット織地の縦糸が、左から右まで、相次いで第一縦糸101、第二縦糸102、第三縦糸103、第四縦糸104、第五縦糸105、第六縦糸106、第七縦糸107、第八縦糸108、第九縦糸109、第十縦糸110、第十一縦糸111、第十二縦糸112、第十三縦糸113、第十四縦糸114、第十五縦糸115、第十六縦糸116、第十七縦糸117、第十八縦糸118、第十九縦糸119と第二十縦糸120であり、前記ユニット織地の横糸が上から下まで相次いで第一横糸21、第二横糸22、第三横糸23、第四横糸24、第五横糸25と第六横糸26である。
【００３３】
前記第一縦糸101が、第一横糸21、第三横糸23及び第五横糸25の上方にあり、第二横糸22、第四横糸24及び第六横糸26の下側にある。
前記第二縦糸102が第二横糸22、第四横糸24及び第六横糸26の上方にあり、第一横糸21、第三横糸23と第五横糸25の下側にある。
前記第三縦糸103が、第一横糸21、第三横糸23及び第五横糸25の上方にあり、第二横糸22、第四横糸24及び第六横糸26の下側にある。
前記第四縦糸104が第二横糸22、第四横糸24及び第六横糸26の上方にあり、第一横糸21、第三横糸23と第五横糸25の下側にある。
前記第五縦糸105が、第一横糸と第五横糸の上方にあり、第二横糸、第三横糸、第四横糸及び第六横糸の下側にある。
前記第六縦糸106が、第一横糸21、第三横糸23及び第五横糸25の上方にあり、第三横糸22、第四横糸24及ひ、第六横糸26の下側にある。
前記第七縦糸107が第二横糸22、第四横糸24及び第六横糸26の上方にあり、第一横糸21、第三横糸23と第五横糸25の下側にある。
前記第八縦糸108が、第一横糸21、第三横糸23及び第五横糸25の上方にあり、第二横糸22、第四横糸24及ひ、第六縦糸26の下側にある。
前記第九縦糸109が第二横糸22、第四横糸24及び第六横糸26の上方にあり、第一横糸21、第三横糸23と第五横糸25の下側にある。
前記第十経糸110が第二横糸、第三横糸と第四横糸の上方にあり、第一横糸、第五横糸と第六横糸との下側にある。
前記第十一縦糸111が、第一横糸21、第三横糸23及び第五横糸25の上方にあり、第二横糸22、第四横糸24及び第六横糸26の下側にある。
前記第十二縦糸112が第二横糸22、第四横糸24及び第六横糸26の上方にあり、第一横糸21、第三横糸23と第五横糸25の下側にある。
前記第十三縦糸113が、第一横糸21、第三横糸23及び第五横糸25の上方にあり、第二横糸22、第四横糸24及び第六横糸26の下側にある。
前記第十四縦糸114が第二横糸22、第四横糸24及び第六横糸26の上方にあり、第一横糸21、第三横糸23と第五横糸25の下側にある。
前記第十五縦糸115が第二横糸、第三横糸と第四横糸の上方にあり、第一横糸と第六横糸との下側にある。
前記第十六縦糸116が、第一横糸21、第三横糸23及び第五横糸25の上方にあり、第二横糸22、第四横糸24及び第六横糸26の下側にある。
前記第十七縦糸117が第二横糸22、第四横糸24及び第六横糸26の上方にあり、第一横糸21、第三横糸23と第五横糸25の下側にある。
前記第十八縦糸118が、第一横糸21、第三横糸23及び第五横糸25の上方にあり、第二横糸22、第四横糸24及び第六横糸26の下側にある。
前記第十九縦糸119が第二横糸22、第四横糸24及び第六横糸26の上方にあり、第一横糸21、第三横糸23と第五横糸25の下側にある。
前記第二十縦糸120が、第一横糸と第五横糸の上方にあり、第二横糸、第三横糸、第四横糸及び第六横糸の下側にある。
【００３４】
以上のような生地１において、第一縦糸101、第二縦糸102、第三縦糸103、第四縦糸104、第六縦糸106、第七縦糸107、第八縦糸108、第九縦糸109、第十一縦糸111、第十二縦糸112、第十三縦糸113、第十四縦糸114、第十六縦糸116、第十七縦糸117、第十八縦糸118と第十九縦糸119は、綿糸を採用し、第五縦糸105、第十縦糸110、第十五縦糸115と第二十縦糸120は、テリー織糸を採用する。
【００３５】
以上のような実施の形態の裏面テリー織布帛表面生地１によれば、織物表面の縦糸及び横糸を、完全な平織りに形成し、テリー織糸を、織物の裏面に表すようにしたので、生地正面（表面）は、タッチング表面生地の特徴を有し、裏面はテリー織織地の特徴を有し、シャツ又はパジャマ、ワンピース等の製作に適したものとなる。
【００３６】
以上、本発明の実施の形態について説明したが、本発明は上記の実施の形態に限定されるものではなく、本発明の要旨の範囲内において適宜変形実施可能である。
【符号の説明】
【００３７】
１：    生地本体
２：    正面
３：    裏面
Ｐ：    経織地箇所
１０１，１０２・・・  ：経方向の綿糸
２１，２２・・・  ：  緯方向の綿糸
１０５，１１０，・・・  ：  テリー織（テリー糸）
【図１】
2020051018.tif 000003
【図２】
2020051018.tif 000004
【図３】
2020051018.tif 000005
【図４】
2020051018.tif 000006
【図５】
2020051018.tif 000007
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
生地本体（１）を経緯方向の綿糸（１０１，１０２・・・、２１，２２・・・）で平織りして構成し、経方向で等距離にテリー織（１０５，１１０，・・・）を設置し、これらテリー織（１０５，１１０，・・・）の間を平織りされた前記綿糸（１０１，１０２・・・、２１，２２・・・）で埋めることで生地の一方の面（２）は布帛状の表面とし、生地の他方の面（３）はテリー織の織地表面とし、
同じテリー織の糸上の二つの隣の経織地箇所（Ｐ）の間に１〜３本の横方向の糸を含み、
前記他方の面（３）のテリー織の高さが０．２ｍｍを超え０．５ｍｍ未満であり、
前記テリー織（１０５，１１０，・・・）の糸は、二本鎖の１００ｓ〜１２０ｓの糸としたことを特徴とする裏面テリー織布帛表面生地。
【請求項２】
請求項１において、
前記テリー織（１０５，１１０，・・・）以外の綿糸は二本鎖の４０ｓ〜１２０ｓの糸としたことを特徴とする裏面テリー織布帛表面生地。
【手続補正２】
【補正対象書類名】明細書
【補正対象項目名】０００６
【補正方法】変更
【補正の内容】
【０００６】
上記課題を解決するために、本発明の裏面テリー織布帛表面生地は、
生地本体（１）を経緯方向の綿糸（１０１，１０２・・・、２１，２２・・・）で平織りして構成し、経方向で等距離にテリー織（１０５，１１０，・・・）を設置し、これらテリー織（１０５，１１０，・・・）の間を平織りされた前記綿糸（１０１，１０２・・・、２１，２２・・・）で埋めることで生地の一方の面（２）は布帛状の表面とし、生地の他方の面（３）はテリー織の織地表面とし、
同じテリー織の糸上の二つの隣の経織地箇所（Ｐ）の間に１〜３本の横方向の糸を含み、
前記他方の面（３）のテリー織の高さが０．２ｍｍを超え０．５ｍｍ未満であり、
前記テリー織（１０５，１１０，・・・）の糸は、二本鎖の１００ｓ〜１２０ｓの糸としたことを特徴とする。
【手続補正３】
【補正対象書類名】明細書
【補正対象項目名】０００９
【補正方法】変更
【補正の内容】
【０００９】
この裏面テリー織布帛表面生地においては、
前記テリー織（１０５，１１０，・・・）以外の綿糸は二本鎖の４０ｓ〜１２０ｓの糸とすることができる。
【手続補正４】
【補正対象書類名】明細書
【補正対象項目名】００１０
【補正方法】削除
【補正の内容】